(57)【要約】【課題】コンビニやスーパー等で販売する商品を新規な広告媒体とする宣伝方法並びに、複数の紙片印刷物をまとめて貼れる広告体の提供。【解決手段】１  受注した広告内容を印刷し、紙片印刷物を製作する。製作した複数の紙片印刷物をコンビニやスーパー等で販売する商品へ取り付けられるように加工した商品広告体とする。この広告体、または広告体を貼った商品をコンビニやスーパー等へ配送することを特徴とする広告宣伝方法。２  クリップで留めた複数の紙片印刷物と粘着体からなることを特徴とした貼る広告体。３  ゼムクリップ、台紙、アクリルスポンジの組み合わせを特徴とする紙片印刷物などのクリップ具。【選択図】図１
2007102149.tif 000002
【特許請求の範囲】
【請求項１】
受注した広告内容を印刷し、紙片印刷物を製作する。製作した複数の紙片印刷物をコンビニやスーパー等で販売する商品へ取り付けられるように加工した商品広告体とする。この広告体、または広告体を貼った商品をコンビニやスーパー等へ配送することを特徴とする広告宣伝方法。
【請求項２】
クリップで留めた複数の紙片印刷物と粘着体からなることを特徴とした貼る広告体，並びに当該広告体を用いる広告宣伝方法。
【請求項３】
ゼムクリップ、台紙、アクリルスポンジの組み合わせを特徴とする紙片印刷物などのクリップ具。
【発明の詳細な説明】
【技術分野】
【０００１】本発明はチラシなどの紙片印刷物を、コンビニやスーパー等で販売する商品を広告媒体とすることに関する。またこれに関連した広告体及びクリップ体に関する。
【背景技術】
【０００２】チラシ配布方法は、手渡し、投函、設置、新聞折込、郵送等の手段がある。コンビニ、スーパーでの広告印刷物配布は、レジ渡しである。コンビニやスーパー等で販売する商品に何かを取り付けする着想は多い。いわゆる、おまけやプレゼントキャンペーンである。ペットボトルに吊り下げる袋の中に人形などのおまけを入れたり、シールを貼りキャンペーンすることは多い。
【発明の開示】
【発明が解決しようとする課題】
【０００３】新聞配達ではチラシを折込んで新聞を顧客に販売する。このように購入品と共にチラシを配布すれば、広告効果が高い。本発明者は、スーパー、コンビニなどで販売する日用商品にチラシを添付する事を考えた。チラシは小さいサイズまたは折り畳みを複数添付してスーパー、コンビニなどで販売する日用商品と共に消費者に確実に渡れば、広告効果が高まる。また装飾性効果も期待できる。
広告料を値引き原資にもできる。本発明では、コンビニやスーパー等で販売する商品を新規な広告媒体とする宣伝方法並び、複数の紙片印刷物をまとめて貼れる広告体並びに関連のクリップ具の提供を課題とする。
【課題を解決するための手段】
【０００４】本発明の課題を解決するための手段は下記になる。
１  受注した広告内容を印刷し、紙片印刷物を製作する。製作した複数の紙片印刷物をコンビニやスーパー等で販売する商品へ取り付けられるように加工した商品広告体とする。この広告体、または広告体を商品をコンビニやスーパー等へ配送することを特徴とする広告宣伝方法。
２  クリップで留めた複数の紙片印刷物と粘着体からなることを特徴とした貼る広告体。
３  ゼムクリップ、台紙、アクリルスポンジの組み合わせを特徴とする紙片印刷物などのクリップ具。チラシすなわち、紙片印刷物はサイズを小さくするか折り畳み調整する。以下、本発明を図を利用して説明する。【０００５】図１は、特許請求の範囲請求項１の記載に関する説明図である。１は広告主、２は広告注文、３は印刷製作、４は加工、５は配送、６はコンビニやスーパー等である。広告主よりパソコン通信や郵便、電話などで広告注文を受ける。広告を印刷製作する。製作した複数の紙片印刷物を商品に取り付けられるように加工し商品広告体とする。加工した広告体、または広告体を貼った商品をコンビニやスーパー等へ配送する。広告体付き商品コンビニやスーパーなどで販売する。【０００６】図２は、加工例の側面図である。袋や箱に複数枚の紙片印刷物を入れる。これを粘着材で販売する商品に貼る。または袋に孔を設けペットボトルの首に吊り下げてもよい。図２において、７は袋、８は粘着材、９は紙片印刷物である。【０００７】図３は、特許請求の範囲請求項２の記載に関する側面図である。図３において、８は粘着材、９は紙片印刷物、１０はクリップである。紙片印刷物をクリップでまとめ裏に取り付けようの両面粘着材を貼る。台紙１２は無くともよい。クリップ１０は、ゼムクリップが作業性によい。【０００８】図３において、台紙１２にゼムクリップ１０を係止しアクリルスポンジを貼ってもよい。アクリルスポンジそのものでも粘着するが、両面テープでアクリルスポンジを貼るのが、安定化して好ましい。アクリルスポンジは、滑面に粘着し剥離を繰り返せす自己粘着性の素材である。図４は実施例である。販売商品１３にチラシなどの紙片印刷物をクリップして貼る。
【発明の効果】
【０００９】請求項１記載の効果は、スーパー、コンビニで売られる飲料菓子、弁当やパン類に貼ることにより、消費者に強制的に多数の宣伝印刷物を配布できる。宣伝費を原資として販売商品の価格割引も可能である。販売商品を目立せる驚き装飾効果がある。新規な宣伝媒体を提供できる。新聞折込と同じようにチラシなど印刷物を１枚１枚がばらばらにもなる。割り引き券、漫画図、花の種いれ袋なども購入商品と共に渡せる事ができる。購入商品別に宣伝できる。【００１０】請求項２記載の効果は、チラシなどを容易に追加できることである。図３と図４で説明すると、挿入口１１から各店の独特のチラシを追加できる。
ゼムクリップなら、追加のチラシなどを挿入口から押し込めばよい。また袋なども挿入できる。袋になにかを入れて挿入できる。粘着体をアクリルスポンジにすれば、消費者は貼るクリップとして再利用できる。チラシその他紙片印刷物を取り去り、新たに文具などに利用できる。【００１１】請求項３記載の効果としては、請求項２記載の広告体同様な効果がある。アクリルスポンジは貼りはがせるので貼る剥がせるクリップ材効果がある。
【発明を実施するための最良の形態】
【実施例１】
【００１２】数枚の紙片印刷物を束ねて、ゼムクリップでクリップする。これにアクリルスポンジを裏面から貼る。アクリルスポンジは紙やビニルなどにも粘着する。剥離も簡単で、粘着と剥離を何回も繰り返すので、再使用ができる。これをペットボトル、弁当類、パンなどの日用商品に貼る。
【実施例２】
【００１３】数枚の紙片印刷物をチャック付きの袋に入れる。この袋を粘着材などで日用商品に貼る。
【実施例３】
【００１４】剥離フイルム付き粘着材小片と数枚の紙片印刷物を束ねて、ゼムクリップでクリップする。次に剥離フイルムを剥がし、これをペットボトル、弁当類、パンなどの日用商品に貼る。
【実施例４】
【００１５】ゼムクリップ、台紙、２ミリ厚さのアクリルスポンジを組み合わせ商品とする。使用の際には、台紙にゼムクリップをクリップする。これにアクリルスポンジを両面テープを介在して裏面から貼る。アクリルスポンジは紙やビニル、鏡、窓ガラス、金属面などにも粘着剥離を繰り返す。そのため、店舗壁面や窓ガラス、洋服売り場エモン掛け等にも貼れる。
本発明のクリップ体は、紙片印刷物ばかりでなく、箱や袋などもクリップできる。また、造花、人形などもクリップできる。広告体ばかりでなく、装飾用具にも利用できる。広告効果ばかりでなく、驚き効果、装飾効果などを得る。
【産業上の利用可能性】
【００１６】販売する日用品に貼り、日用品購入者にチラシなどの紙片印刷物を確実に渡せる。貼り差し替えできる広告印刷体にもできる。
【図面の簡単な説明】
【００１７】
【図１】・・説明図。
【図２】・・側面図。本発明に係わる広告体の図である。
【図３】・・側面図。本発明に係わる広告体の図である。
【図４】・・正面図。本発明の実施例説明図である。
【符号の説明】
【００１８】１は広告主、２は広告注文、３は印刷製作、４は加工、５は配送、６はコンビニやスーパー等、７は袋、８は粘着材、９は紙片印刷物、１０はクリップである。１１は挿入口、１２は台紙、１３は弁当などのコンビニ販売商品である。
【図１】
2007102149.tif 000003
【図２】
2007102149.tif 000004
【図３】
2007102149.tif 000005
【図４】
2007102149.tif 000006